(57)【要約】【課題】外部端末からのデータの流出に対する安全性が高く、且つ外部端末の記録容量を少なくできる仮想ネットワークサーバ共有システムを提供する。【解決手段】本発明の仮想ネットワークサーバ共有システム１において、ファイル共有サーバ１１には各種のアプリケーションソフトが収納してあり、データベースサーバ１３にはアプリケーションアソフトを処理・管理するデータベースソフトが収納してあり、ハブ１５はネットワークを中継するソフトであり、内部端末１７は外部端末５に対応して複数設けてあり、内部端末管理サーバ１８にはオペレーティングシステムソフト及び画像配信ソフトを収納してあり、外部端末５から対応する内部端末１７でアプリケーションソフトを操作し、外部端末５のディスプレイには内部端末で操作している画像を表示する。【選択図】図１
2008181171.tif 000002
【特許請求の範囲】
【請求項１】
ファイル共有サーバと、データベースサーバと、ハブと、複数の内部端末と、内部端末を管理する内部端末管理サーバとを内蔵するサーバ装置と、インターネットを介してサーバ装置に接続される複数の外部端末とを備え、ファイル共有サーバには各種のアプリケーションソフトが収納してあり、データベースサーバにはアプリケーションアソフトを処理・管理するデータベースソフトが収納してあり、ハブはネットワークを中継するソフトであり、内部端末は外部端末に対応して複数設けてあり、内部端末管理サーバにはオペレーティングシステムソフト及び画像配信ソフトを収納してあり、各内部端末はハブを介してファイル共有サーバ及びデータベースサーバに接続してあり、外部端末からサーバ装置内の対応する内部端末でアプリケーションソフトを操作し且つ内部端末に記録し、外部端末のディスプレイには内部端末で操作しているアプリケーションソフトの画像を表示することを特徴とする仮想ネットワークサーバ共有システム。
【請求項２】
外部端末は、サーバ装置にあるアプリケーションソフトを変換せずにそのまま操作することができることを特徴とする仮想ネットワークサーバ共有システム。
【発明の詳細な説明】
【技術分野】
【０００１】
本発明は、複数の外部端末からアプリケーションソフトやデータの共有を図るサーバ共有システムに関する。
【背景技術】
【０００２】
特許文献１には、複数の外部端末がインターネットを介してサーバ装置に接続され、各外部端末がサーバ装置内にあるアプリケーションソフトやデータの共有を図ることが開示されている。
【０００３】
【特許文献１】特開２００１−３１８９７４号公報
【発明の開示】
【発明が解決しようとする課題】
【０００４】
しかし、特許文献１のサーバ共有システムでは、外部端末（通信端末）がサーバ装置からアプリケーションソフトやデータを取り込む為、各外部端末にも同種のアプリケーションソフト、アプリケーションソフトを処理するデータベースソフトや通信ソフトが必要になり、外部端末の記録容量が大量に必要になるという問題がある。
【０００５】
また、外部端末にアプリケーションソフトと共にデータが記録される場合、外部端末の安全管理を十分に果たさないと、外部端末からのデータの流出のおそれがある。
【０００６】
そこで、本発明は、外部端末からのデータの流出に対する安全性が高く、且つ外部端末の記録容量を少なくできる仮想ネットワークサーバ共有システムを提供することを目的とする。
【課題を解決するための手段】
【０００７】
前記課題を解決するために、請求項１に記載された発明は、ファイル共有サーバと、データベースサーバと、ハブと、複数の内部端末と、内部端末を管理する内部端末管理サーバとを内蔵するサーバ装置と、インターネットを介してサーバ装置に接続される複数の外部端末とを備え、ファイル共有サーバには各種のアプリケーションソフトが収納してあり、データベースサーバにはアプリケーションアソフトを処理・管理するデータベースソフトが収納してあり、ハブはネットワークを中継するソフトであり、内部端末は外部端末に対応して複数設けてあり、内部端末管理サーバにはオペレーティングシステムソフト及び画像配信ソフトを収納してあり、各内部端末はハブを介してファイル共有サーバ及びデータベースサーバに接続してあり、外部端末からサーバ装置内の対応する内部端末でアプリケーションソフトを操作し且つ内部端末に記録し、外部端末のディスプレイには内部端末で操作しているアプリケーションソフトの画像を表示することを特徴とする。
【０００８】
本発明はサーバ装置において、ファイル共有サーバと、データベースサーバと、ハブと、複数の内部端末と、内部端末管理サーバとは、それぞれプログラムソフトで作られ通信ソフトで動作するように構築したものであり、ファイル共有サーバ及びデータベースサーバと、各内部端末との間でネットワーク（仮想ネットワーク）を構成している。即ち、この仮想ネットワークをプログラムソフトで構築したものであり、内部端末は外部端末からの通信信号を受けて起動・操作するものである。
【０００９】
請求項２に記載された発明は、請求項１に記載の発明において、外部端末は、サーバ装置にあるアプリケーションソフトを変換せずにそのまま操作することができることを特徴とする。
【発明の効果】
【００１０】
請求項１に記載の発明によれば、サーバ装置内には、複数の外部端末に対応した内部端末を設けてあり、各内部端末にはオペレーティングシステムソフトを設けてあるので、内部端末は外部端末からの操作によりファイル共有サーバにあるアプリケーションソフトを処理することができ、処理したアプリケーションソフト及びそのデータは内部端末内に格納される。したがって、外部端末にはアプリケーションソフトを必要としないと共にアプリケーションソフトとそのデータは外部端末に残ることなくサーバ装置に格納できるから、外部端末からのデータの流出を防止できる。
【００１１】
請求項２に記載の発明によれば、請求項１に記載の効果を奏すると共に、既存のシステムに影響を与えず、新しい業務ソフトの導入ができる。
【００１２】
即ち、外部端末には、書き込んだデータ信号のみが残ることがあっても、アプリケーションソフトのデータとして残らないようにすることができるので、仮に外部端末を紛失したり、外部端末からのデータの流出があってもアプリケーションソフト上のデータとして流出せず、データ漏れについて安全性が高い。
【００１３】
尚、内部端末のオペレーティングシステムソフトには、ディスプレイ、キーボード及びマウスの操作を含み、画像配信ソフトにより外部端末に操作しているアプリケーションソフトの画像がディスプレイ表示されると共に、外部端末のキーボード及びマウスの操作で内部端末のキーボード及びマウス操作ができるものである。
【００１４】
外部端末からは、書き込みデータ信号のみがサーバ装置に送信されるので、送信量が少なく且つ送信時間も短い。
【００１５】
サーバ装置に搭載されている各アプリケーションソフトは、各外部端末から内部端末を通じて操作及び処理ができるから、複数の外部端末によるアプリケーションソフトの共有を図ることができる。
【００１６】
各外部端末（クライアント端末）が内部端末を通じて使用したアプリケーションソフトとデータは内部端末に保存するので、クライアント毎に記録されたデータを分けて使用することができる。したがって、クライアント間における秘密保持性が高い。
【００１７】
外部端末が携帯電話等の携帯モバイルである場合には、携帯モバイルは特に記憶容量の少ないので利便性が良い。
【００１８】
サーバ装置の管理は、例えば、運用・管理を専門機関に委託可能であり、サーバ装置は従来の事業所内におけるＬＡＮと同様の機能を有するものであるから、サーバ装置を従来の事業所のＬＡＮと同様に用いる場合には、事業所内での運用・管理を省略できる。
【発明を実施するための最良の形態】
【００１９】
以下に、本発明の実施の形態について図面を参照して説明する。図１は、本発明の実施の形態にかかるサーバ共有システムの構成を示すブロック図であり、図２は外部端末における表示画面を示す正面図である。
【００２０】
図１に示すように、本実施の形態にかかるサーバ共有システム（仮想ネットワークサーバ共有システム）１は、サーバ装置３と、外部端末５とを備えており、サーバ装置３と外部端末５とはインターネット回線（インターネット）７を介して接続されている。
【００２１】
外部端末５は、例えば、パーソナルコンピュータ（ＰＣ）５ａであり、クライアント側ルータ９ａ、９ｂに接続されており、このクライアント側ルータ９ａ、９ｂを介してインターネット７に接続されている。外部端末５はルータ機能９ｃを内蔵した携帯モバイル５ｂであってもよい。
【００２２】
本実施の形態では、クライアント側ルータ（１Ａ）９ａには複数の外部端末５ａ、５ａが接続されており、各外部端末５ａからクライアント側ルータ（１Ａ）９ａを介してインターネット７に接続できるようになっている。また、他のクライアント側ルータ（２Ａ）９ｂには一台のパーソナルコンピュータ（外部端末）５ａが接続されている。
【００２３】
各クライアント側ルータ９ａ、９ｂ、９ｃには、ＩＰアドレスが登録されており、このＩＰアドレスはインターネット回線に送信する通信信号と共に送信されるようになっている。
【００２４】
サーバ装置３は、サーバ側ルータ２１を介してインターネット７に接続されている。サーバ側ルータ２１には、クライアント側ルータ９ａ、９ｂ、９ｃに対応したＩＰアドレスが登録されており、クライアント側ルータ９ａ、９ｂ、９ｃのＩＰアドレスが一致すると外部端末５に接続される。
【００２５】
サーバ装置３は、ファイル共有サーバ１１と、データベースサーバ１３と、ハブ１５と、複数の内部端末１７と、内部端末管理サーバ１８とを内蔵しており、各内部端末１７は、ハブ１５を介してファイル共有サーバ１１及びデータベースサーバ１３に接続されている。サーバ装置３内にあるファイル共有サーバ１１と、データベースサーバ１３と、ハブ１５と、複数の内部端末１７と、内部端末管理サーバ１８とは、各々各部の機能を有するプログラムソフトで構成したものであり、サーバ装置内３は、サーバ共有ネットワークをプログラムソフトで構築されたものである。各々各部の機能は、共通のオペレーティングシステム（ＯＳ）上で作動するようになっている。ＯＳとしては、例えばＷｉｎｄｏｗｓ（登録商標）等の汎用のものが用いられている。
【００２６】
ファイル共有サーバ１１には、会計ソフト、表計算ソフト等の複数の汎用アプリケーションソフトが収納してある。
【００２７】
データベースサーバ１３には、各種のアプリケーションソフトを処理・管理するデータベースソフトが収納してある。
【００２８】
内部端末（１Ｂ、２Ｂ・・・１０Ｂ）１７は予め登録された会員の外部端末５に対応して複数設けてあり且つ各内部端末（１Ｂ、２Ｂ・・・１０Ｂ）１７には外部端末５に対応したＩＰアドレスが付されている。各内部端末１７は、外部端末５のコンピュータと同様の機能を有するものである。更に、内部端末管理サーバ１８には画像配信ソフトを収納してあり、内部端末１７で表示されるべき画像を接続されている外部端末に送信するようになっている。これにより、図２に示すように、外部端末５のディスプレイには、内部端末１７で操作しているアプリケーションソフトの画像が表示される。例えばアプリケーションソフトが会計ソフトである場合には、その会計画像が表示されるが、この画像はサーバ装置３の内部端末１７に表示されるべき画像を外部端末５が覗いている状態（以下、「仮想画像」という）である。そして、操作しているアプリケーションソフト及びそのデータは内部端末１７を介してファイル共有サーバ１１に記録され且つ保存されている。
【００２９】
次に、本実施の形態に係るサーバ共有システムの作用効果について説明する。
【００３０】
本実施の形態では、予め登録した会員（クライアント）が外部端末５ａ、５ｂ、５ｃからサーバ装置３にあるアプリケーションソフト及びそのデータを共有するものである。
【００３１】
外部端末５は、サーバ装置３のファイル共有サーバ１１にあるアプリケーションソフトを使用するときには、インターネット７を介してサーバ装置３に接続し、対応する内部端末（１Ｂ、２Ｂ・・１０Ｂ）１７を起動して、内部端末１７のオペレーティングシステムソフトにより、サーバ装置３内でアプリケーションソフトを操作する。
【００３２】
外部端末５のキーボード３１（図２参照）の操作やマウス３３（図２参照）の操作による操作信号は、内部端末１７に送信され、内部端末１７上で所定のアプリケーションソフトを操作する。一方、使用しているアプリケーションソフトの画像信号は、内部端末１７からサーバ側ルータ２１、インターネット７、クライアント側ルータ９ａ（９ｂ、９ｃ）を経由して外部端末５ａ（５ｂ）に表示される（図２参照）。
【００３３】
本実施の形態では、サーバ装置３において、ファイル共有サーバ１１と、データベースサーバ１３と、ハブ１５と、複数の内部端末１７とは、それぞれプログラムソフトで作られ通信ソフトで動作するように構築したものであり、ファイル共有サーバ１１及びデータベースサーバ１３と、各内部端末１７との間で仮想ネットワークを構成している。即ち、サーバ内の仮想ネットワークはプログラムソフトで構築したものであり、サーバ装置３内の内部端末１７は外部端末５からの通信信号を受けて起動・操作するものである。
【００３４】
本実施の形態によれば、外部端末５はサーバ装置３内のアプリケーションソフトと同様のアプリケーションソフトを搭載する必要がなく、サーバ装置３内でそのアプリケーションソフトを操作できるので、外部端末５の記録容量が少なくて済み、あるいは記録容量の使用量をほとんど必要としないで済む。
【００３５】
外部端末５からは、書き込みデータ信号のみがサーバ装置３に送信されるので、送信量が少なく且つ送信時間も短い。
【００３６】
外部端末５には、操作したアプリケーションソフト及びそのデータが残らないので、仮に外部端末５を紛失したり、ウィルスによる外部端末５からのデータの流出があってもアプリケーションソフト上のデータとして流出することがなく、データ漏れに対する安全性が高い。
【００３７】
サーバ装置３に保存されている各アプリケーションソフトは、クライアント毎の内部端末１７を介して使用でき、複数の外部端末５によるアプリケーションソフトの共有を図ることができる。
【００３８】
サーバ装置３には各外部端末５に対応する内部端末１７が設けてあり、内部端末１７毎に書き込みやデータ保存等ができるので、クライアント毎に記録されたデータを分けて使用することができる。
【００３９】
更に、本実施の形態によれば、サーバ装置３の管理は、例えば、運用・管理を専門機関に委託可能であり、サーバ装置３は従来の事業所内におけるＬＡＮと同様の機能を有するものであるから、サーバ装置３を従来の事業所内のＬＡＮと同様に用いる場合には、事業所内での運用・管理を省略できる。
【００４０】
サーバ装置３内には、内部端末１７を設けることにより一つの共有ネットワークシステムが構築されているから、共有ネットワークシステム（外部端末５に対するアプリケーションソフトの提供と共有）を一まとめに運用管理するサービスを提供できる。
【００４１】
本発明は、上述した実施の形態に限定されず、その要旨を逸脱しない範囲内において、種々の変形が可能である。
【００４２】
例えば、サーバ装置３に設けたサーバ側ルータ２１は、サーバ装置３内に内蔵するものであっても良いし、ルータ機能をサーバ装置３内に内蔵させ且つサーバ側ルータ２１を用いるものであっても良い。
【図面の簡単な説明】
【００４３】
【図１】本発明の実施の形態にかかるサーバ共有システムの構成を示すブロック図である。
【図２】通信端末の表示画面を示す正面図である。
【符号の説明】
【００４４】
１        サーバ共有システム（仮想ネットワークサーバ共有システム）
３        サーバ装置
５        外部端末
７        インターネット
１１      ファイル共有サーバ
１３      データベースサーバ
１５      ハブ
１７      内部端末
１８      内部端末管理サーバ
【図１】
2008181171.tif 000003
【図２】
2008181171.tif 000004